(57)【要約】【課題】プレキャスト製格子床の調整可能な筒状の固定装置を提供する。【解決手段】主に適切な大きさの外枠上に適切な数量のX軸方向の横桁、及び、Y軸方向の縦桁の設置で構成され、該X軸方向の横桁をY軸方向の縦桁の上端に設置し、また、特定の横桁と縦桁の交差箇所において、それぞれ適切なタイマウントで交差する縦桁と固定させ、該タイマウントが横桁の幅を収納でき、且つ、その高さが横桁の高さより略高くなり、該タイマウントの接合を通じて、特定の縦桁が横桁上で移動による位置調整の動作を行うことができ、各タイマウントが連接する縦桁の底端において、縦桁上を移動できる変動部品を設け、該変動部品に適切な圧入部品を固設し、該外枠の四隅において、それぞれ角柱を有し、角柱の下端にも移動部品を設ける。【選択図】    図5
0003118585.tif 000002
【実用新案登録請求の範囲】
【請求項１】
プレキャスト製格子床の調整可能な筒状の固定装置において、主に適切な大きさの外枠上に適切な数量のX軸方向の横桁、及び、Y軸方向の縦桁の設置で構成され、該X軸方向の横桁をY軸方向の縦桁の上端に設置し、また、特定の横桁と縦桁の交差箇所において、それぞれ適切なタイマウントで交差する縦桁と固定させ、該タイマウントが横桁の幅を収納でき、且つ、その高さが横桁の高さより略高くなり、該タイマウントの接合を通じて、特定の縦桁が横桁上で移動による位置調整の動作を行うことができ、各タイマウントが連接する縦桁の底端において、縦桁上を移動できる変動部品を設け、該変動部品に適切な圧入部品を固設し、該外枠の四隅において、それぞれ角柱を有し、角柱の下端にも移動部品を設けることで、該調整可能な筒状の固定装置が四隅における角柱の移動部品を通じて、相対幅のガイドレール上で格子床のプレキャスト製モールドベース上端まで移動して格子床の円筒間隔距離の調整、及び、圧入固定の動作を実施することができることを特徴とする、プレキャスト製格子床の調整可能な筒状の固定装置。
【請求項２】
請求項１記載のプレキャスト製格子床の調整可能な筒状の固定装置において、該Y軸方向の縦桁が外枠の交差箇所に接続し、適切なタイマウントを設けて相互に固接することを特徴とする、プレキャスト製格子床の調整可能な筒状の固定装置。
【請求項３】
請求項２記載のプレキャスト製格子床の調整可能な筒状の固定装置において、該タイマウントは、横桁の幅を収納することができ、且つ、その高度が横桁の高度より略高く、該タイマウントの接合を通じて、Y軸方向の縦桁がX軸方向の横桁上で移動動作を実施できることを特徴とする、プレキャスト製格子床の調整可能な筒状の固定装置。
【請求項４】
請求項１記載のプレキャスト製格子床の調整可能な筒状の固定装置において、該圧入部品は、油圧シリンダーであることを特徴とする、プレキャスト製格子床の調整可能な筒状の固定装置。
【請求項５】
請求項１記載のプレキャスト製格子床の調整可能な筒状の固定装置において、該圧入部品は、エアシリンダーであることを特徴とする、プレキャスト製格子床の調整可能な筒状の固定装置。
【考案の詳細な説明】
【技術分野】
【０００１】
本考案は、プレキャスト製格子床の調整可能な筒状の固定装置に関り、特にタイマウントを通じてY軸方向の縦桁をX軸方向の横桁上に移動させ、且つ縦桁上で移動できる変動部品により、格子床円筒間隔距離の調整及び圧入固定の動作を実施することができるプレキャスト製格子床の調整可能な筒状の固定装置である。
【背景技術】
【０００２】
従来の格子床の多くは、ウエハー工場の床に使用さているが、なぜなら格子形状として設置するのは、耐微振動及び無塵室の空気流通の需要のため、これによって特殊な形状態様となっている。
【０００３】
従来の格子床の施工方式の多くは、現場において直接施工され、この種の格子床の施工は現場でのグラウトを利用して製造されているが、地面をあるべきレベルに達することが難しいだけでなく、且つ格子形状に成型する際利用する円筒の固定も難しく、容易にグラウト時にグラウト材の押動効果によって変位してしまうため、格子床上で成型した格子スペースの間隔距離の誤差が生じてしまう。そのたため大変な労力で円筒位置を測定、固定し、多くの時間を費やすことで格子床の製造を完成させることができるため、施工上の不便且つ工事時間が延びてしまい改善の必要があった。
【考案の開示】
【考案が解決しようとする課題】
【０００４】
上記の従来の技術の欠点に鑑み、本考案の主な目的は、タイマウントを通じてY軸方向の縦桁をX軸方向の横桁上に移動させ、且つ縦桁上で移動できる変動部品により、格子床円筒間隔距離の調整及び圧入固定の動作を実施することができるプレキャスト製格子床の調整可能な筒状の固定装置を提供することにある。
【０００５】
本考案の別な目的は、各種適合した格子床に素早く成型できるプレキャスト製格子床の調整可能な筒状の固定装置を提供することにある。
【課題を解決するための手段】
【０００６】
上記の目的を達成するため、本考案は、下記の技術手段を用いて達成するものとし、本考案のプレキャスト製格子床の調整可能な筒状の固定装置は主に適切な大きさの外枠上に適切な数量のX軸方向の横桁、及び、Y軸方向の縦桁の設置で構成され、該X軸方向の横桁をY軸方向の縦桁の上端に設置し、また、特定の横桁と縦桁の交差箇所において、それぞれ適切なタイマウントで交差する縦桁と固定させ、該タイマウントが横桁の幅を収納でき、且つ、その高さが横桁の高さより略高くなり、該タイマウントの接合を通じて、特定の縦桁が横桁上で移動による位置調整の動作を行うことができ、各タイマウントが連接する縦桁の底端において、縦桁上を移動できる変動部品を設け、該変動部品に適切な圧入部品を固設し、該外枠の四隅において、それぞれ角柱を有し、角柱の下端にも移動部品を設けることで、該調整可能な筒状の固定装置が四隅における角柱の移動部品を通じて、相対幅のガイドレール上で格子床のプレキャスト製モールドベース上端まで移動して格子床の円筒間隔距離の調整、及び、圧入固定の動作を実施することができる。
【実施例】
【０００７】
以下に配合図を組み合わせて本考案の好ましい実施例方式及び原理について更に一歩進んで説明する。
図１から図３を見ると、本考案の上面立体外観図及び局部移動による位置調整の拡大立体見取図であり、本考案の構造特徴を明確にみることができるための外観立体図の上面角度の見取図で、図１内から明確に分かりとおり、該プレキャスト製格子床の調整可能な筒状の固定装置5は、主に適切な大きさの外枠51上に適切な数量のX軸方向の横桁52、及び、Y軸方向の縦桁53の設置で構成され、該X軸方向の横桁52をY軸方向の縦桁53の上端に設置し、また、特定の横桁52と縦桁53の交差箇所において、それぞれ適切なタイマウント54で交差する縦桁53と固定させ、該タイマウント54が横桁52の幅を収納でき、且つ、その高さが横桁52の高さより略高くなり、、図２内から明確に分かるとおり、該タイマウント54の接合を通じて、特定の縦桁53が横桁52上で移動による位置調整の動作を行うことができ、各タイマウント54が連接する縦桁53の底端において、縦桁53上を移動できる変動部品531を設け、該変動部品531に適切な圧入部品532を固設し、該圧入部品532は、油圧シリンダー或いはエアシリンダーような適切な装置で、プレキャスト製格子床の円筒を係合して位置固定することができ、また該外枠51の四隅において、それぞれ角柱511を有し、角柱511の下端にも移動部品512を設けることで、該調整可能な筒状の固定装置5が四隅における角柱511の移動部品512を通じて、相対幅のガイドレール55上で格子床のプレキャスト製モールドベース6上端まで移動して格子床の円筒間隔距離の調整、及び、圧入固定の動作を実施することができる。
【０００８】
更に図４、図５及び図６を見ると、本考案がプレキャストモールドベースに嵌入する立体見取図及び縦桁移動による位置調整の側面見取図で、図内からも明確に分かるとおり、該調整可能な筒状の固定装置5が四隅における角柱511の移動部品512を通じて、相対幅のガイドレール55上で格子床のプレキャスト製モールドベース6上端まで移動し、プレキャストモールドベース6を被覆し、且つ上記構造によって特定の縦桁53が横桁52上で移動による位置調整の動作を行い、更に縦桁53上で移動できる変動部品531を通じて移動による位置調整を行い、便利且つスピーディーにプレキャスト製格子床の円筒間隔距離を調整することができ、また該圧入部品532で直接プレキャストフロアの円筒を係合することで、安定してグラウト材を注入するプレキャスト製格子床の施工を行うことができ、その操作も速く、且つ異なる製造による格子床に必要な標準円筒状の施工も受容れることができるため非常に便利である。
【０００９】
上記は、本考案を説明するためのみ好ましい実施例であり、本考案の実施範囲はこれに限定されることが無く、本考案の実用新案登録請求の範囲内に捉われることなく各種の変化と修飾を行うことにより、この変化と修飾もまた本考案の保護範疇に属するものとする。
【００１０】
前記をまとめると、本考案で提供するプレキャスト製格子床の調整可能な筒状の固定装置は、タイマウントを通じてY軸方向の縦桁をX軸方向の横桁上で移動させることができ、且つ縦桁上で移動できる変動部品によって、格子床円筒間隔距離の調整及び圧入固定の動作を実施することができることで、大幅な工数及び施工の人件コストを節減することができ、且つ変化性を具え、新規性で且つ進歩性を具えた創作となっているため、これにより実用新案権登録の法定要件を満たしているので法律に則ってここに申請する。審査委員の皆様の詳細なる審査を受け、一日も早く登録していただくよう切に願います。
【図面の簡単な説明】
【００１１】
【図１】本考案の上面立体外観図である。
【図２】本考案の縦桁が、横桁上の移動によって位置調整できる拡大立体見取図である。
【図３】本考案の変動部品が、縦桁上の移動によって位置調整できる拡大立体見取図である。
【図４】本考案にプレキャスト製モールドベースを組合せた立体見取図である。
【図５】図４の一部拡大図である。
【図６】図５の移動による位置調整側面見取図である。
【符号の説明】
【００１２】
5 調整可能な筒状の固定装置
51 外枠
511 角柱
512 移動部品
52 横桁
53 縦桁
531 変動部品
532 圧入部品
54 タイマウント
55 ガイドレール
6 プレキャストモールドベース
【図１】
0003118585.tif 000003
【図２】
0003118585.tif 000004
【図３】
0003118585.tif 000005
【図４】
0003118585.tif 000006
【図５】
0003118585.tif 000007
【図６】
0003118585.tif 000008